(57)【要約】【課題】  録画予約した放送番組を確実に録画することを可能にし、かつストレージ容量が無駄に使用されることを防止することができる録画予約システムを提供する。【解決手段】  録画予約システム１は、互いに通信ネットワーク４を介して通信可能な携帯端末装置２と番組録画装置３とから成り、携帯端末装置２において放送番組が録画予約されると、その録画予約情報を送信することによって、番組録画装置３においても該放送番組が録画予約され、その録画予約の録画開始日時から予め定める時間だけ前の時点で、携帯端末装置２において放送波の受信感度が予め定める基準レベル未満であれば、携帯端末装置２における該放送番組の録画予約を削除し、受信感度が予め定める基準レベル以上であれば、携帯端末装置２から番組録画装置３に録画予約の削除指示を送信することにより、番組録画装置３における該放送番組の録画予約を削除する。【選択図】      図４
2015139040.tif 000002
【特許請求の範囲】
【請求項１】
放送中の番組の録画および録画の予約が可能な据え置き型の番組録画装置と、前記番組録画装置とネットワークを介して通信可能であって、放送中の番組の録画および録画の予約が可能な携帯端末装置とから成る録画予約システムにおいて、
前記携帯端末装置は、
番組の放送波を受信する放送波受信部と、
前記放送波受信部が受信した放送波の受信感度を検出する受信感度検出部と、
予約された番組を録画するために用いられる録画予約情報を記憶する録画予約情報記憶部と、
前記録画予約情報記憶部に録画予約情報が記憶されると、該録画予約情報を前記番組録画装置に送信する通信部と、
前記録画予約情報記憶部に記憶されている録画予約情報に基づいて、予約された番組の録画開始日時より予め定める時間だけ前の時点の、前記受信感度検出部によって検出された受信感度が、予め定める閾値未満であれば、該番組の録画予約情報を前記録画予約情報記憶部から削除し、予め定める閾値以上であれば、該番組の録画予約情報の削除指令を、前記通信部に前記番組録画装置へ送信させる録画予約制御部とを含み、
前記番組録画装置は、
前記携帯端末装置から受信した録画予約情報を記憶する録画予約情報記憶部と、
前記携帯端末装置から録画予約情報の削除指令を受信すると、該録画予約情報を自装置の前記録画予約情報記憶部から削除する録画予約制御部とを含むことを特徴とする録画予約システム。
【請求項２】
放送中の番組の録画および録画の予約が可能な据え置き型の番組録画装置と、前記番組録画装置とネットワークを介して通信可能であって、番組の放送波を受信し、放送中の番組の録画および録画の予約が可能な携帯端末装置とから成るシステムの録画予約方法において、
前記携帯端末装置が、予約された番組を録画するために用いられる録画予約情報を自装置の記憶部へ記憶させるとともに、該録画予約情報を前記番組録画装置へ送信する工程と、
前記番組録画装置が、前記携帯端末装置から受信した録画予約情報を自装置の記憶部へ記憶させる工程と、
前記携帯端末装置が、自装置の記憶部に記憶されている録画予約情報に基づいて、予約された番組の録画開始日時より予め定める時間だけ前の時点の放送波の受信感度を検出する工程と、
前記携帯端末装置が、検出された受信感度が、予め定める閾値未満であれば、該番組の録画予約情報を自装置の記憶部から削除し、前記予め定める閾値以上であれば、該番組の録画予約情報の削除指令を前記番組録画装置へ送信する工程と、
前記番組録画装置が、前記携帯端末装置から録画予約情報の削除指令を受信すると、該録画予約情報を自装置の記憶部から削除する工程とを含むことを特徴とする録画予約方法。
【請求項３】
放送中の番組の録画および録画の予約が可能な据え置き型の番組録画装置とネットワークを介して通信可能であって、放送中の番組の録画および録画の予約が可能な携帯端末装置において、
番組の放送波を受信する放送波受信部と、
前記放送波受信部が受信した放送波の受信感度を検出する受信感度検出部と、
予約された番組を録画するために用いられる録画予約情報を記憶する録画予約情報記憶部と、
前記録画予約情報記憶部に録画予約情報が記憶されると、該録画予約情報を前記番組録画装置に送信する通信部と、
前記録画予約情報記憶部に記憶されている録画予約情報に基づいて、予約された番組の録画開始日時より予め定める時間だけ前の時点の、前記受信感度検出部によって検出された受信感度が、予め定める閾値未満であれば、該番組の録画予約情報を前記録画予約情報記憶部から削除し、予め定める閾値以上であれば、該番組の録画予約情報の削除指令を、前記通信部に前記番組録画装置へ送信させる録画予約制御部とを含むことを特徴とする携帯端末装置。
【請求項４】
放送中の番組の録画および録画の予約が可能な据え置き型の番組録画装置とネットワークを介して通信可能であって、番組の放送波を受信し、放送中の番組の録画および録画の予約が可能な携帯端末装置内に設けられたコンピュータにより録画予約を行わせる録画予約プログラムにおいて、
前記コンピュータに、
番組の録画が予約されると、予約された番組を録画するために用いられる録画予約情報を自装置の記憶部へ記憶させるとともに、該録画予約情報を前記番組録画装置へ送信する工程と、
自装置の記憶部に記憶されている録画予約情報に基づいて、予約された番組の録画開始日時より予め定める時間だけ前の時点の放送波の受信感度を検出する工程と、
検出された受信感度が、予め定める閾値未満であれば、該番組の録画予約情報を自装置の記憶部から削除し、前記予め定める閾値以上であれば、該番組の録画予約情報の削除指令を前記番組録画装置へ送信する工程とを実行させることを特徴とする録画予約プログラム。
【発明の詳細な説明】
【技術分野】
【０００１】
本発明は、録画予約システム、録画予約方法、携帯端末装置および録画予約プログラムに関する。
【背景技術】
【０００２】
近年、スマートフォンにテレビ受信機能が搭載された機種が増えてきており、それに伴って予約録画の機能が搭載された機種も増えてきている。しかしながら、スマートフォンはユーザによって携行されるため、ユーザの所在場所に依っては、放送波の受信感度が十分でなくなる場合もあり、そのような場合には、録画予約しておいた放送番組の録画に失敗してしまう可能性がある。
【０００３】
そこで、このような不具合を解消するための技術として、スマートフォンのような携帯端末装置において録画予約した放送番組を、家庭などに設置される据え置き型の番組録画装置においてバックアップ録画させる技術が、たとえば特許文献１に提案されている。
【０００４】
この特許文献１に記載の技術では、携帯端末装置において、曜日別および時間帯別で、放送波の受信成功率を予め収集しておき、録画予約した放送番組の放送曜日および放送時間帯における受信成功率が所定の閾値以下の場合には、該放送番組の録画予約情報を据え置き型の番組録画装置に送信して登録することで、該番組録画装置においてバックアップ録画させることが提案されている。
【先行技術文献】
【特許文献】
【０００５】
【特許文献１】特開２００９−２７８５６９号公報
【発明の概要】
【発明が解決しようとする課題】
【０００６】
上記特許文献１に記載の技術は、携帯端末装置を携行するユーザの行動パターンが同じであるという考え方に基づくものである。しかしながら、ユーザの行動パターンは常に同じになるとは限らず、受信成功率が高いというデータが収集されていた曜日および時間帯に、放送波の受信レベルが極めて低い場所にユーザが所在するような場合もあり得る。このような場合には、据え置き型の番組録画装置においてバックアップ録画の予約がされていないので、携帯端末装置において録画に失敗すると、録画予約していた放送番組を視聴できなくなってしまう可能性がある。
【０００７】
また、上記特許文献１に記載の技術によれば、据え置き型の番組録画装置において所望の放送番組についてのバックアップ録画の予約がされた場合には、携帯端末装置においてその放送番組の録画に成功したとしても、番組録画装置ではバックアップ録画が実行されることとなり、この場合には、番組録画装置におけるストレージ容量が無駄に使用されてしまうこととなる。
【０００８】
本発明の目的は、録画予約した放送番組を確実に録画することを可能にし、かつストレージ容量が無駄に使用されることを防止することができる録画予約システム、録画予約方法、携帯端末装置および録画予約プログラムを提供することである。
【課題を解決するための手段】
【０００９】
本発明は、放送中の番組の録画および録画の予約が可能な据え置き型の番組録画装置と、前記番組録画装置とネットワークを介して通信可能であって、放送中の番組の録画および録画の予約が可能な携帯端末装置とから成る録画予約システムにおいて、
前記携帯端末装置は、
番組の放送波を受信する放送波受信部と、
前記放送波受信部が受信した放送波の受信感度を検出する受信感度検出部と、
予約された番組を録画するために用いられる録画予約情報を記憶する録画予約情報記憶部と、
前記録画予約情報記憶部に録画予約情報が記憶されると、該録画予約情報を前記番組録画装置に送信する通信部と、
前記録画予約情報記憶部に記憶されている録画予約情報に基づいて、予約された番組の録画開始日時より予め定める時間だけ前の時点の、前記受信感度検出部によって検出された受信感度が、予め定める閾値未満であれば、該番組の録画予約情報を前記録画予約情報記憶部から削除し、予め定める閾値以上であれば、該番組の録画予約情報の削除指令を、前記通信部に前記番組録画装置へ送信させる録画予約制御部とを含み、
前記番組録画装置は、
前記携帯端末装置から受信した録画予約情報を記憶する録画予約情報記憶部と、
前記携帯端末装置から録画予約情報の削除指令を受信すると、該録画予約情報を自装置の前記録画予約情報記憶部から削除する録画予約制御部とを含むことを特徴とする録画予約システムである。
【００１０】
また本発明は、放送中の番組の録画および録画の予約が可能な据え置き型の番組録画装置と、前記番組録画装置とネットワークを介して通信可能であって、番組の放送波を受信し、放送中の番組の録画および録画の予約が可能な携帯端末装置とから成るシステムの録画予約方法において、
前記携帯端末装置が、予約された番組を録画するために用いられる録画予約情報を自装置の記憶部へ記憶させるとともに、該録画予約情報を前記番組録画装置へ送信する工程と、
前記番組録画装置が、前記携帯端末装置から受信した録画予約情報を自装置の記憶部へ記憶させる工程と、
前記携帯端末装置が、自装置の記憶部に記憶されている録画予約情報に基づいて、予約された番組の録画開始日時より予め定める時間だけ前の時点の放送波の受信感度を検出する工程と、
前記携帯端末装置が、検出された受信感度が、予め定める閾値未満であれば、該番組の録画予約情報を自装置の記憶部から削除し、前記予め定める閾値以上であれば、該番組の録画予約情報の削除指令を前記番組録画装置へ送信する工程と、
前記番組録画装置が、前記携帯端末装置から録画予約情報の削除指令を受信すると、該録画予約情報を自装置の記憶部から削除する工程とを含むことを特徴とする録画予約方法である。
【００１１】
また本発明は、放送中の番組の録画および録画の予約が可能な据え置き型の番組録画装置とネットワークを介して通信可能であって、放送中の番組の録画および録画の予約が可能な携帯端末装置において、
番組の放送波を受信する放送波受信部と、
前記放送波受信部が受信した放送波の受信感度を検出する受信感度検出部と、
予約された番組を録画するために用いられる録画予約情報を記憶する録画予約情報記憶部と、
前記録画予約情報記憶部に録画予約情報が記憶されると、該録画予約情報を前記番組録画装置に送信する通信部と、
前記録画予約情報記憶部に記憶されている録画予約情報に基づいて、予約された番組の録画開始日時より予め定める時間だけ前の時点の、前記受信感度検出部によって検出された受信感度が、予め定める閾値未満であれば、該番組の録画予約情報を前記録画予約情報記憶部から削除し、予め定める閾値以上であれば、該番組の録画予約情報の削除指令を、前記通信部に前記番組録画装置へ送信させる録画予約制御部とを含むことを特徴とする携帯端末装置である。
【００１２】
また本発明は、放送中の番組の録画および録画の予約が可能な据え置き型の番組録画装置とネットワークを介して通信可能であって、番組の放送波を受信し、放送中の番組の録画および録画の予約が可能な携帯端末装置内に設けられたコンピュータにより録画予約を行わせる録画予約プログラムにおいて、
前記コンピュータに、
番組の録画が予約されると、予約された番組を録画するために用いられる録画予約情報を自装置の記憶部へ記憶させるとともに、該録画予約情報を前記番組録画装置へ送信する工程と、
自装置の記憶部に記憶されている録画予約情報に基づいて、予約された番組の録画開始日時より予め定める時間だけ前の時点の放送波の受信感度を検出する工程と、
検出された受信感度が、予め定める閾値未満であれば、該番組の録画予約情報を自装置の記憶部から削除し、前記予め定める閾値以上であれば、該番組の録画予約情報の削除指令を前記番組録画装置へ送信する工程とを実行させることを特徴とする録画予約プログラムである。
【発明の効果】
【００１３】
本発明によれば、携帯端末装置において録画予約した放送番組を確実に録画することができるとともに、携帯端末装置および番組録画装置におけるストレージ容量が無駄に使用されてしまうことを防止することができる。
【図面の簡単な説明】
【００１４】
【図１】本発明の第１の実施形態に係る録画予約システム１の構成を概略的に示す図である。
【図２】本発明の一実施形態に係る携帯端末装置２のハードウェア構成を示すブロック図である。
【図３】番組録画装置３のハードウェア構成を示すブロック図である。
【図４】本実施形態に係る録画予約システム１の機能的構成を示す機能ブロック図である。
【図５】携帯端末装置２における録画予約時の処理手順を示すフローチャートである。
【図６】番組録画装置３における録画予約時の処理手順を示すフローチャートである。
【図７】携帯端末装置２において登録された録画予約情報に基づく録画処理の、携帯端末装置２における処理手順を示すフローチャートである。
【図８】携帯端末装置２において登録された録画予約情報に基づく録画処理の、該録画予約情報が送信された番組録画装置３における処理手順を示すフローチャートである。
【発明を実施するための形態】
【００１５】
（第１の実施形態）
図１は、本発明の第１の実施形態に係る録画予約システム１の構成を概略的に示す図である。録画予約システム１は、図１に示すように、携帯端末装置２と、その携帯端末装置２のユーザによって予め登録された１台または複数台（図１に示す例では２台）の番組録画装置３とを含み、携帯端末装置２と番組録画装置３とを、インターネットおよびＬＡＮ（Local Area Network）などの通信ネットワーク４を介して互いに通信可能とすることによって構成される。
【００１６】
録画予約システム１を構成する携帯端末装置２は、テレビチューナ１９（図２参照）を内蔵し、テレビジョン放送の放送波を受信して、放送されているテレビ番組を録画する録画機能、および、日時およびチャンネル、あるいは、テレビ番組自体を指定することによって、テレビ番組の録画を予約しておく録画予約機能が搭載された携帯可能な情報端末装置によって実現されるものとし、図１では、このような携帯端末装置２の一例として、スマートフォンを図示している。
【００１７】
なお、携帯端末装置２としては、スマートフォンに限らず、録画機能および録画予約機能が搭載された他の携帯可能な情報端末装置、たとえばフィーチャーフォン、ポータブルテレビ、タブレットＰＣ（Personal Computer）、ラップトップＰＣ、カーナビゲーション装置、および携帯ゲーム機などによって実現されてもよい。
【００１８】
一方、録画予約システム１を構成する番組録画装置３は、テレビチューナ３３（図３参照）を内蔵し、外部から入力される放送信号に基づいて、放送されているテレビ番組を録画する録画機能、および、日時およびチャンネル、あるいは、テレビ番組自体を指定することによって、テレビ番組の録画を予約しておく録画予約機能が搭載された据え置き型のビデオレコーダによって実現されるものとする。
【００１９】
このような番組録画装置３は、通常、家庭などに設置して用いられ、たとえば、ハードディスクを記録媒体とするＨＤＤ（Hard Disk Drive）レコーダ、ＢＤ（Blu-ray（登録商標） Disc）を記録媒体とするＢＤレコーダ、および、ＤＶＤ（Digital Versatile Disc）を記録媒体とするＤＶＤレコーダなどによって実現される。なお、本実施形態では、番組録画装置３は、単体の装置によって実現されるものとするが、テレビジョン装置と一体に構成されているものであってもよい。
【００２０】
図２は、本発明の一実施形態に係る携帯端末装置２のハードウェア構成を示すブロック図である。携帯端末装置２は、図２に示すように、ＣＰＵ（Central Processing Unit）１１と、メモリ１２と、記憶媒体読取部１３と、ディスプレイ１４と、タッチパネル１５と、スピーカ１６と、移動体通信モジュール１７と、無線ＬＡＮ（Local Area Network）モジュール１８と、テレビチューナ１９と、各種アンテナ２０〜２２とを含んで構成される。
【００２１】
ＣＰＵ１１には、ＢＵＳライン２４が接続されており、このＢＵＳライン２４には、メモリ１２と、記憶媒体読取部１３と、ディスプレイ１４と、タッチパネル１５と、スピーカ１６と、移動体通信モジュール１７と、無線ＬＡＮモジュール１８と、テレビチューナ１９とが電気的に接続される。
【００２２】
メモリ１２は、ＲＡＭ（Random Access Memory）と、フラッシュＲＯＭ（Flash Read Only Memory）とによって構成され、フラッシュＲＯＭには、ＯＳ（Operating System）、各種のアプリケーションのプログラムおよびデータ、ならびに、後述する録画データなどのコンテンツデータが格納される。
【００２３】
記憶媒体読取部１３は、外部メモリとしての着脱可能な記憶媒体２３が挿し込まれるスロットを有し、該スロットに挿し込まれた記憶媒体２３に各種のデータやプログラムを書き込み、また記憶媒体２３に格納されているデータやプログラムを読み取る動作を実行する。記憶媒体２３は、たとえばＳＤカードによって実現され、記憶媒体読取部１３は、たとえばＳＤカードリーダライタによって実現される。前記のアプリケーションのプログラムおよびデータ、ならびに、コンテンツデータは、記憶媒体２３に格納されてもよい。
【００２４】
ＣＰＵ１１は、メモリ１２あるいは記憶媒体読取部１３に装着された記憶媒体２３に格納されたプログラムを読み出して実行することで、携帯端末装置２の各部の動作を制御する。
【００２５】
本実施形態では、後述する録画予約に関する処理を実行するための録画予約プログラムが予めメモリ１２あるいは記憶媒体読取部１３に装着された記憶媒体２３に格納されており、ＣＰＵ１１が、その録画予約プログラムを読み出して実行することで、後述する録画予約に関する処理が行われる。
【００２６】
ディスプレイ１４は、画像データに応じた画像を表示可能に構成され、たとえば液晶ディスプレイ装置や有機ＥＬ（Electro-Luminescence）ディスプレイ装置などの表示装置によって実現される。
【００２７】
タッチパネル１５は、入力装置として機能し、ディスプレイ１４における画像の表示面を、ユーザが指やスタイラスによって接触操作したときの、該表示面上での接触位置の座標を検出し、検出された座標のデータを、ＣＰＵ１１に与える。このタッチパネル１５とディスプレイ１４とによって、ユーザに対して対話的な操作インタフェースが提供される。タッチパネル１５は、抵抗膜方式、表面弾性波方式、赤外線方式、電磁誘導方式、静電容量方式などのいずれのタイプであってもよい。
【００２８】
スピーカ１６は、ＣＰＵ１１からの命令に基づいて、音声を出力する。たとえば、ＣＰＵ１１は、音声信号に基づいて、スピーカ１６に音声を出力させる。
【００２９】
移動体通信モジュール１７は、たとえばＩＭＴ−２０００（International Mobile Telecommunications 2000）規格に準拠した第３世代移動通信システム（３Ｇ：3rd Generation）方式や、第３世代携帯電話のデータ通信を高速化した規格であるＬＴＥ（Long Term Evolution）方式などの通信方式によって無線通信を実行する無線通信デバイスである。移動体通信モジュール１７は、移動体通信用のアンテナ２０を介して、移動体通信のセルラーネットワークの無線基地局との間で無線接続を確立することによって、ＣＤＭＡ（Code Division Multiple Access）等の方式によって無線通信を行う。
【００３０】
無線ＬＡＮモジュール１８は、たとえばＩＥＥＥ８０２．１１ａ／ｂ／ｇ／ｎ規格のうちの少なくとも１つに準拠した無線通信を実行する無線通信デバイスである。無線ＬＡＮモジュール１８は、無線ＬＡＮ用のアンテナ２１を介して、無線ＬＡＮのアクセスポイントとの間で無線接続を確立することによって無線通信を行う。
【００３１】
このように、本実施形態に係る携帯端末装置２は、移動体通信網経由でインターネットに接続可能であるとともに、無線ＬＡＮのアクセスポイントを介してインターネットに接続可能に構成されている。
【００３２】
テレビチューナ１９（放送波受信部）は、テレビ用のアンテナ２２を介して、地上デジタルテレビジョン放送（ワンセグ放送またはフルセグ放送）の放送波を受信し、選局されたチャンネルで放送されているテレビ番組の映像信号および音声信号を出力する。
【００３３】
たとえば、ユーザによりタッチパネル１５を介して、放送されているテレビ番組を視聴する旨の指示が与えられた場合には、ＣＰＵ１１は、テレビチューナ１９から出力される映像信号に基づく映像をディスプレイ１４に表示させるとともに、テレビチューナ１９から出力される音声信号に基づく音声をスピーカ１６から出力させる。
【００３４】
図３は、番組録画装置３のハードウェア構成を示すブロック図である。番組録画装置３は、据え置き型のＨＤＤレコーダによって実現されているものとし、図３に示すように、ＣＰＵ３１と、メモリ３２と、テレビチューナ３３と、ＨＤＤ３４と、ディスプレイ３５と、ＬＡＮモジュール３６と、リモコン受信部３７と、データ出力部３８とを含んで構成される。
【００３５】
ＣＰＵ３１には、ＢＵＳライン４１が接続されており、このＢＵＳライン４１には、メモリ３２と、テレビチューナ３３と、ＨＤＤ３４と、ディスプレイ３５と、ＬＡＮモジュール３６と、リモコン受信部３７と、データ出力部３８とが電気的に接続される。
【００３６】
メモリ３２は、ＲＡＭおよびＲＯＭを含み、ＣＰＵ３１によって実行されるプログラムおよびプログラムの実行に用いられる各種のデータなどを格納する。ＣＰＵ３１は、メモリ３２に格納されたプログラムを読み出して実行することで、番組録画装置３における各部の動作を制御する。
【００３７】
本実施形態では、後述する録画予約に関する処理を実行するための録画予約プログラムが予めメモリ３２に格納されており、ＣＰＵ３１が、その録画予約プログラムを読み出して実行することで、後述する録画予約に関する処理が行われる。
【００３８】
テレビチューナ３３は、外部から入力される放送信号を受信し、選局されたチャンネルで放送されているテレビ番組の映像信号および音声信号を出力する。なお、放送信号は、テレビ用のアンテナを介して入力される信号であってもよく、ケーブルテレビ事業者から送信される信号であってもよい。
【００３９】
ＨＤＤ３４は、記憶媒体としてハードディスクを備え、ＣＰＵ３１によって制御されることによって、テレビチューナ３３から出力される映像信号および音声信号を録画データとしてハードディスクに記憶し、また、ハードディスクに記憶されている録画データを読み出す。
【００４０】
ディスプレイ３５は、ＣＰＵ３１によって制御されることにより、番組録画装置３の動作状態を表示する。ここで、動作状態とは、ハードディスクに記憶されている録画データを再生している状態、および、テレビ番組を録画している状態といった、番組録画装置３が有する機能に基づいて実現される動作の状態のことである。
【００４１】
ＬＡＮモジュール３６は、有線または無線でＬＡＮに接続するための通信デバイスである。このように、本実施形態に係る番組録画装置３は、ＬＡＮ経由でインターネットに接続可能である。
【００４２】
リモコン受信部３７は、リモコン３９から送信されるＩＲ（InfraRed：赤外線）信号を受信することによって、録画指示、録画予約指示および再生指示などといった、ユーザからの指示を受け付ける。
【００４３】
データ出力部３８は、ＨＤＤ３４によって読み出された録画データを、液晶ディスプレイ装置および有機ＥＬディスプレイ装置などといった、外部の表示装置４０に出力する。これにより、表示装置４０における表示面には、録画されたテレビ番組の映像が表示され、表示装置４０のスピーカからは、映像に対応して音声が出力される。
【００４４】
図４は、本実施形態に係る録画予約システム１の機能的構成を示す機能ブロック図である。携帯端末装置２は、主たる機能構成として、録画予約登録部５１と、録画予約情報記憶部５２と、計時部５３と、録画制御部５４と、録画データ記憶部５５と、受信感度検出部５６と、録画予約制御部５７と、通信部５８とを含む。
【００４５】
録画予約登録部５１は、ユーザが、タッチパネル１５を操作し、前記のように、録画開始および終了の日時および録画するチャンネルを指定することによって、あるいは、電子番組表から所望のテレビ番組を選択することによって、録画予約の指示を入力すると、入力された内容に基づいて、予約された番組を録画するために用いられる録画予約情報を作成し、作成した録画予約情報を、録画予約情報記憶部５２に格納する。これにより、携帯端末装置２において、テレビ番組が録画予約される。なお、電子番組表から所望のテレビ番組を選択することによって録画予約された場合には、録画予約情報には、そのテレビ番組の開始および終了の日時および放送されるチャンネルなどの情報が含まれる。
【００４６】
計時部５３は、現在の日時を出力する。録画制御部５４は、計時部５３を監視し、録画予約情報記憶部５２に格納されている録画予約情報のうちの一の録画予約情報について、現在の日時が、録画を開始すべき日時（以下、「録画開始日時」と記す場合がある）に一致すると、その録画予約情報に基づいてテレビチューナ１９のチャンネルを選局し、テレビチューナ１９から出力される映像信号および音声信号を録画データとして、録画データ記憶部５５に記憶させる。これにより、テレビ番組の録画が開始される。また、録画制御部５４は、現在の日時が、録画を終了すべき日時（以下、「録画終了日時」と記す場合がある）に一致すると、録画データを録画データ記憶部５５に記憶させる動作を停止する。これにより、テレビ番組の録画が終了する。なお、録画予約情報記憶部５２および録画データ記憶部５５は、メモリ１２におけるフラッシュＲＯＭあるいは記憶媒体読取部１３に装着された記憶媒体２３によって実現される。
【００４７】
受信感度検出部５６は、アンテナ２２を介してテレビチューナ１９で受信された放送波の受信感度（受信レベル）を検出し、検出結果を録画予約制御部５７に出力する。
【００４８】
録画予約制御部５７は、録画予約登録部５１によって録画予約情報が録画予約情報記憶部５２に新たに登録されると、通信部５８に対し、その録画予約情報によって指定されている番組の録画期間（録画開始日時から録画終了日時までの期間）における録画可否の確認指示を出力する。通信部５８は、録画予約制御部５７から録画可否の確認指示を受け取ると、移動体通信モジュール１７あるいは無線ＬＡＮモジュール１８を制御して、携帯端末装置２のユーザによって予め登録された各番組録画装置３に対し、前記録画期間に録画可能であるか否かを問い合わせる。なお、ユーザによって予め登録された番組録画装置３に関する情報は、たとえばメモリ１２に記憶されている。
【００４９】
通信部５８は、移動体通信モジュール１７あるいは無線ＬＡＮモジュール１８を介して、前記問い合わせに応答して、各番組録画装置３から返答を受け取ると、その返答内容を録画予約制御部５７へ渡す。録画予約制御部５７は、通信部５８から受け取った返答内容に基づいて、録画可能である旨の返答が有りと判断すると、登録された録画予約情報を録画予約情報記憶部５２から取得し、録画可能である旨の返答をした番組録画装置３のうちの一の番組録画装置３を選択して、通信部５８に対し、取得した録画予約情報の送信指示を出力する。通信部５８は、録画予約制御部５７から録画予約情報の送信指示を受け取ると、移動体通信モジュール１７あるいは無線ＬＡＮモジュール１８を制御して、録画予約制御部５７によって選択された番組録画装置３に対し、録画予約制御部５７によって取得された録画予約情報を送信する。
【００５０】
また、録画予約制御部５７は、計時部５３を監視し、番組録画装置３に送信された録画予約情報のうちの一の録画予約情報について、現在の日時が、録画を開始すべき日時よりも予め定める時間だけ前の時点に一致すると、その時点における放送波の受信感度と、予め設定された基準レベルとを比較する。ここで、基準レベルとは、正常に録画するために最低限必要とされる受信レベルよりも、一定レベルだけ大きい受信レベルのことである。また、予め定める時間は、たとえば１分である。この予め設定された基準レベルと予め定める時間の情報は、たとえばメモリ１２に記憶される。
【００５１】
そして、録画予約制御部５７は、比較の結果、放送波の受信感度が基準レベル未満であれば、当該一の録画予約情報を、録画予約情報記憶部５２から削除する。一方、放送波の受信感度が基準レベル以上であれば、通信部５８に対し、当該一の録画予約情報の削除要求指示を出力する。通信部５８は、録画予約制御部５７から削除要求指示を受け取ると、移動体通信モジュール１７あるいは無線ＬＡＮモジュール１８を制御して、当該一の録画予約情報を送信した番組録画装置３に対し、その録画予約情報の削除を要求する指示を送信する。
【００５２】
本実施形態では、録画予約登録部５１、録画制御部５４、受信感度検出部５６、録画予約制御部５７、および通信部５８は、ＣＰＵ１１が、メモリ１２あるいは記憶媒体読取部１３に装着された記憶媒体２３に格納されている録画予約プログラムを実行することによって実現される。
【００５３】
一方、番組録画装置３は、主たる機能構成として、録画予約登録部６１と、録画予約情報記憶部６２と、計時部６３と、録画制御部６４と、録画データ記憶部６５と、録画予約制御部６６と、通信部６７とを含む。
【００５４】
録画予約登録部６１は、通信部６７が、ＬＡＮモジュール３６を介して、携帯端末装置２によって送信された録画予約情報を受け取ると、受け取った録画予約情報を録画予約情報記憶部６２に格納する。これにより、携帯端末装置２において録画予約されたテレビ番組が、番組録画装置３においても録画予約される。
【００５５】
また、録画予約登録部６１は、リモコン受信部３７が録画予約指示を受け付けると、その録画予約指示の内容に基づいて録画予約情報を作成し、作成した録画予約情報を、録画予約情報記憶部６２に格納する。
【００５６】
計時部６３は、現在の日時を出力する。録画制御部６４は、録画予約情報記憶部６２に格納されている録画予約情報および計時部６３を監視し、一の録画予約情報について、現在の日時が、録画開始日時に一致すると、その録画予約情報に基づいてテレビチューナ３３のチャンネルを選局し、テレビチューナ３３から出力される映像信号および音声信号を録画データとして、録画データ記憶部６５に記憶させる。これにより、テレビ番組の録画が開始される。また、録画制御部６４は、現在の日時が、録画終了日時に一致すると、録画データを録画データ記憶部６５に記憶させる動作を停止する。これにより、テレビ番組の録画が終了する。録画データ記憶部６５は、本実施形態では、ＨＤＤ３４によって実現される。
【００５７】
録画予約制御部６６は、通信部６７が、ＬＡＮモジュール３６を介して、携帯端末装置２から所定の録画期間に録画可能であるか否かについての問い合わせを受け取ると、録画予約情報記憶部６２を参照し、その所定の録画期間に録画可能であるか否かを判定し、通信部６７に対し、その判定結果の送信指示を出力する。通信部６７は、録画予約制御部６６から判定結果の送信指示を受け取ると、ＬＡＮモジュール３６を制御して、前記問い合わせを送信してきた携帯端末装置２に対し、録画可能であるか否かの判定結果を送信する。
【００５８】
また、録画予約制御部６６は、通信部６７が、ＬＡＮモジュール３６を介して、携帯端末装置２から録画予約情報の削除を要求する指示を受け取ると、その録画予約情報を、録画予約情報記憶部６２から削除する。
【００５９】
本実施形態では、録画予約登録部６１、録画制御部６４、録画予約制御部６６、および通信部６７は、ＣＰＵ３１が、メモリ３２に格納されている録画予約プログラムを実行することによって実現される。
【００６０】
図５および図６は、本実施形態に係る録画予約システム１における録画予約時の処理手順を示すフローチャートであり、図５は、携帯端末装置２における処理手順を示し、図６は、各番組録画装置３における処理手順を示している。
【００６１】
先ず、図５を参照して、携帯端末装置２における処理を説明する。ユーザが、タッチパネル１５を操作し、録画開始および終了の日時および録画するチャンネルを指定することによって、あるいは、電子番組表から所望のテレビ番組を選択することによって、録画予約の指示が入力されると、ステップｓ１で、録画予約登録部５１は、入力された内容に基づいて録画予約情報を作成し、作成した録画予約情報を、録画予約情報記憶部５２に格納し、ステップｓ２に進む。
【００６２】
ステップｓ２で、録画予約制御部５７は、通信部５８に対し、ステップｓ１で作成された録画予約情報によって指定されている録画期間における録画可否の確認指示を出力する。これにより、通信部５８が、移動体通信モジュール１７あるいは無線ＬＡＮモジュール１８を制御して、携帯端末装置２のユーザによって予め登録された各番組録画装置３に対し、前記録画期間に録画可能であるか否かを問い合わせると、ステップｓ３に進む。
【００６３】
ステップｓ３で、録画予約制御部５７は、ステップｓ２の問い合わせに対する返答内容に基づいて、録画可能な番組録画装置３が有るか否かを判定し、録画可能な番組録画装置３が有ればステップｓ４に進み、録画可能な番組録画装置３が無ければ、その旨を示す文字情報をディスプレイ１４に表示させて、処理を終了する。
【００６４】
ステップｓ４で、録画予約制御部５７は、録画可能な番組録画装置３のうちの一の番組録画装置３を選択して、通信部５８に対し、ステップｓ１で作成された録画予約情報の送信指示を出力する。これにより、通信部５８が、移動体通信モジュール１７あるいは無線ＬＡＮモジュール１８を制御して、録画予約制御部５７によって選択された番組録画装置３に対し、ステップｓ１で作成された録画予約情報を送信すると、番組録画装置３へのバックアップ録画予約が完了した旨の文字情報をディスプレイ１４に表示させて、処理を終了する。
【００６５】
一方、番組録画装置３では、図６を参照すると、ステップｓ１１で、録画予約制御部６６は、通信部６７が、ＬＡＮモジュール３６を介して、携帯端末装置２から所定の録画期間に録画可能であるか否かについての問い合わせを受け取ったか否かを判定し、受け取った場合にのみステップｓ１２に進む。
【００６６】
ステップｓ１２で、録画予約制御部６６は、録画予約情報記憶部６２を参照し、その所定の録画期間に録画可能であるか否かを判定し、録画可能であればステップｓ１３に進み、録画不可であればステップｓ１６に進む。
【００６７】
ステップｓ１３で、録画予約制御部６６は、通信部６７に対し、録画可能である旨の返答の送信指示を出力する。これにより、通信部６７が、ＬＡＮモジュール３６を制御して、問い合わせを送信してきた携帯端末装置２に対し、録画可能である旨の返答を送信すると、ステップｓ１４に進む。
【００６８】
ステップｓ１４で、録画予約登録部６１は、通信部６７が、ＬＡＮモジュール３６を介して、携帯端末装置２によって送信された録画予約情報を受け取ったか否かを判定し、受け取った場合にはステップｓ１５に進み、受け取っていない場合には処理を終了する。
【００６９】
ステップｓ１５で、録画予約登録部６１は、通信部６７が受け取った録画予約情報を録画予約情報記憶部６２に格納し、処理を終了する。
【００７０】
ステップｓ１６で、録画予約制御部６６は、通信部６７に対し、録画不可である旨の返答の送信指示を出力する。これにより、通信部６７が、ＬＡＮモジュール３６を制御して、問い合わせを送信してきた携帯端末装置２に対し、録画不可である旨の返答を送信すると、処理を終了する。
【００７１】
図７および図８は、携帯端末装置２において登録された録画予約情報に基づく録画処理の処理手順を示すフローチャートであり、図７は、携帯端末装置２における処理手順を示し、図８は、該録画予約情報が送信された番組録画装置３における処理手順を示している。
【００７２】
先ず、図７を参照して、携帯端末装置２における処理を説明する。ステップｓ２１で、録画予約制御部５７は、番組録画装置３に送信された録画予約情報のうちの一の録画予約情報について、現在の日時が、録画開始日時よりも予め定める時間だけ前の時点に一致したか否かを判定し、一致した場合にのみステップｓ２２に進む。
【００７３】
ステップｓ２２で、録画予約制御部５７は、受信感度検出部５６から出力される検出結果に基づいて、録画開始日時よりも予め定める時間だけ前の時点における放送波の受信感度が、予め設定された基準レベル以上であるか否かを判定する。判定の結果、基準レベル以上であればステップｓ２３に進み、基準レベル未満であればステップｓ２６に進む。
【００７４】
ステップｓ２３で、録画予約制御部５７は、通信部５８に対し、当該一の録画予約情報の削除要求指示を出力する。これにより、通信部５８が、移動体通信モジュール１７あるいは無線ＬＡＮモジュール１８を制御して、当該一の録画予約情報を送信した番組録画装置３に対し、その録画予約情報の削除を要求する指示を送信すると、ステップｓ２４に進む。
【００７５】
ステップｓ２４で、録画制御部５４は、当該一の録画予約情報について、現在の日時が、録画開始日時に一致したか否かを判定し、一致した場合にのみステップｓ２５に進む。
【００７６】
ステップｓ２５で、録画制御部５４は、その録画予約情報に基づいてテレビチューナ１９のチャンネルを選局し、テレビチューナ１９から出力される映像信号および音声信号を録画データとして、録画データ記憶部５５に記憶させる動作を実行し、処理を終了する。
【００７７】
ステップｓ２６で、録画予約制御部５７は、当該一の録画予約情報を、録画予約情報記憶部５２から削除し、処理を終了する。
【００７８】
一方、録画予約情報が送信された番組録画装置３では、図８を参照すると、ステップｓ３１で、録画予約制御部６６は、通信部６７が、その録画予約情報による録画開始日時までに、ＬＡＮモジュール３６を介して、携帯端末装置２から録画予約情報の削除を要求する指示を受け取ったか否かを判定し、受け取らなかった場合にはステップｓ３２に進み、受け取った場合にはステップｓ３４に進む。
【００７９】
ステップｓ３２で、録画制御部６４は、その録画予約情報について、現在の日時が、録画開始日時に一致したか否かを判定し、一致した場合にのみステップｓ３３に進む。
【００８０】
ステップｓ３３で、録画制御部６４は、その録画予約情報に基づいてテレビチューナ３３のチャンネルを選局し、テレビチューナ３３から出力される映像信号および音声信号を録画データとして、録画データ記憶部６５に記憶させる動作を実行し、処理を終了する。
【００８１】
ステップｓ３４で、録画予約制御部６６は、その録画予約情報を、録画予約情報記憶部６２から削除し、処理を終了する。
【００８２】
以上のように、本実施形態によれば、録画予約情報における録画を開始すべき日時よりも予め定める時間だけ前の時点で、放送波の受信感度が予め設定された基準レベルか否かを判断し、受信感度が基準レベル以上である場合には、携帯端末装置２においてその録画予約情報に基づいて録画が実行され、番組録画装置３では、その録画予約情報が削除される。一方、受信感度が基準レベル未満である場合には、番組録画装置３においてその録画予約情報に基づいて録画が実行され、携帯端末装置２では、その録画予約情報が削除される。
【００８３】
したがって、携帯端末装置２において録画予約したテレビ番組を確実に録画することができるとともに、携帯端末装置２および番組録画装置３におけるストレージ容量が無駄に使用されてしまうことを防止することができる。
【００８４】
なお、家庭に設置される番組録画装置３において、携帯端末装置２から送信された録画予約情報に基づいて録画予約をした後に、その録画予約と、ユーザがリモコン３９を操作して設定した録画予約とが重複してしまう可能性を考慮して、携帯端末装置２から送信された録画予約情報に基づく録画予約を、リモコン３９を操作して設定された録画予約よりも優先度を高くする設定ができるように構成してもよい。これにより、携帯端末装置２において録画予約したテレビ番組をより確実に録画することが可能となる。
【符号の説明】
【００８５】
１  録画予約システム
２  携帯端末装置
３  番組録画装置
４  ネットワーク
１９，３３  テレビチューナ
５１  録画予約登録部
５２  録画予約情報記憶部
５４  録画制御部
５５  録画データ記憶部
５６  受信感度検出部
５７  録画予約制御部
５８  通信部
６１  録画予約登録部
６２  録画予約情報記憶部
６４  録画制御部
６５  録画データ記憶部
６６  録画予約制御部
６７  通信部
【図１】
2015139040.tif 000003
【図２】
2015139040.tif 000004
【図３】
2015139040.tif 000005
【図４】
2015139040.tif 000006
【図５】
2015139040.tif 000007
【図６】
2015139040.tif 000008
【図７】
2015139040.tif 000009
【図８】
2015139040.tif 000010